(57)【特許請求の範囲】
【請求項１】
空調運転可能で、熱交換器で生じる凝縮水をドレン水として貯留するドレンパンが設けられている空気調和機において、
前記ドレンパンに貯留された前記ドレン水を排水するドレンポンプと、
前記ドレンポンプをインバーター制御するとともに、前記ドレンポンプに供給されている電流値とドレン水の排水状態の種類に応じて予め設定されている複数の第１の電流値の基準値とを比較する制御部と、
を有し、
前記制御部は、
初期の正常な空調運転時における前記ドレンポンプに供給されている前記電流値から前記複数の第１の電流値の基準値を算出し、
前記比較した結果に基づいて前記排水状態の種類ごとに前記ドレンポンプの排水不良の前兆の有無を判断し、
前記ドレンポンプに排水不良の前兆があると判断したときにおいて、前記ドレンパンに貯留された前記ドレン水の排水がしにくくなるにつれて前記インバーターのスイッチング周波数を高くして前記ドレンポンプに供給される電流を大きくする
ことを特徴とする空気調和機。
【請求項２】
前記制御部は、
前記複数の第１の電流値の基準値を変更することができる
ことを特徴とする請求項１に記載の空気調和機。
【請求項３】
前記制御部は、
前記ドレンポンプに排水不良の前兆があると判断したとき、前記ドレンポンプの回転数の低下を抑制するように制御する
ことを特徴とする請求項１又は２に記載の空気調和機。
【請求項４】
前記制御部は、
前記ドレンポンプに供給されている電流値が、前記複数の第１の電流値の基準値のいずれよりも大きい第２の電流値の基準値より大きい場合には、空調運転を停止する
ことを特徴とする請求項１〜３のいずれか一項に記載の空気調和機。
【請求項５】
前記制御部は、
前記ドレンポンプに排水不良の前兆があると判断したとき、その前兆を報知する
ことを特徴とする請求項１〜４のいずれか一項に記載の空気調和機。
【発明の詳細な説明】
【技術分野】
【０００１】
本発明は、空気調和機に関するものである。
【背景技術】
【０００２】
従来、熱交換器で生じるドレン水を貯留するドレンパンの水位を水位検知手段が検知して、その検知した水位に基づいてドレンポンプを運転し、ドレン水を排水する空気調和機が各種提案されている（例えば、特許文献１参照）。
【０００３】
空気調和機では、運転中に、ドレン水の粘度が高くなったり、ドレンポンプが故障したり、ドレンポンプに接続される排水経路に異物が詰まったりすること等が原因で、排水不良になる場合がある。このような場合、特許文献１に記載されているような空気調和機では、ドレンパン内の水位が上昇していき、当該水位検知手段が所定の水位を超えたことを検知すると、その検知結果に基づいて運転を停止して、ドレン水が、ドレンパンより溢れてしまうことを防止するようにしていた。
【先行技術文献】
【特許文献】
【０００４】
【特許文献１】特開平５−１４１６８６号公報（例えば、第１図）
【発明の概要】
【発明が解決しようとする課題】
【０００５】
特許文献１に記載の技術では、排水不良によって空気調和機の運転が停止することでユーザーが排水不良と認識して、それからドレンポンプの修理に取り掛かるので、管理しにくくなってしまっており、空気調和機が復帰するまでの時間を多く要していた。
【０００６】
本発明は、以上のような課題を解決するためになされたもので、排水不良の前兆を予測することで、管理しやすい空気調和機を提供することを目的としている。
【課題を解決するための手段】
【０００７】
本発明に係る空気調和機は、空調運転可能で、熱交換器で生じる凝縮水をドレン水として貯留するドレンパンが設けられている空気調和機において、ドレンパンに貯留されたドレン水を排水するドレンポンプと、ドレンポンプをインバーター制御するとともに、ドレンポンプに供給されている電流値とドレン水の排水状態の種類に応じて予め設定されている複数の第１の電流値の基準値とを比較する制御部と、を有し、制御部は、初期の正常な空調運転時におけるドレンポンプに供給されている電流値から複数の第１の電流値の基準値を算出し、比較した結果に基づいて排水状態の種類ごとにドレンポンプの排水不良の前兆の有無を判断し、ドレンポンプに排水不良の前兆があると判断したときにおいて、ドレンパンに貯留されたドレン水の排水がしにくくなるにつれてインバーターのスイッチング周波数を高くしてドレンポンプに供給される電流を大きくするものである。
【発明の効果】
【０００８】
本発明に係る空気調和機によれば、排水不良の前兆を予測するので、ユーザーが空気調和機を管理しやすくなる。
【図面の簡単な説明】
【０００９】
【図１】本発明の実施の形態１に係る空気調和機の概要構成例図である。
【図２】本発明の実施の形態２に係る空気調和機の概要構成例図である。
【図３】図２に示す空気調和機のドレンポンプのモーターの回路例である。
【発明を実施するための形態】
【００１０】
以下、本発明の実施の形態を図面に基づいて説明する。
実施の形態１．
図１は、本発明の実施の形態１に係る空気調和機１００の概要構成例図である。なお、図１を含め、以下の図面では各構成部材の大きさの関係が実際のものとは異なる場合がある。空気調和機１００は、排水不良の前兆を予測して、ユーザーに事前にメンテナンスを促す機能を有しているものである。つまり、空気調和機１００は、排水不良で故障してしまい、空調運転ができなくなってしまう前に、ユーザーに、メンテナンスを促すことができる。
【００１１】
［空気調和機１００の冷媒回路構成］
まず、空気調和機１００の冷媒回路構成について説明する。
空気調和機１００は、室内機１０１及び室外機１０２を有している。
室内機１０１は、少なくとも室内熱交換器２を有している。この室内熱交換器２の近傍には、室内送風機３が付設されている。
【００１２】
室内熱交換器２は、冷房運転時において、蒸発器として機能して空気を冷却し、暖房運転時において、凝縮器（放熱器）として機能して空気を加温するものである。この、室内熱交換器２は、例えば伝熱管と多数のフィンとにより構成されるクロスフィン式のフィン・アンド・チューブ型熱交換器で構成するとよい。
【００１３】
この室内送風機３は、室内機１０１内に室内空気を吸入し、室内熱交換器２により冷媒との間で熱交換した空気を空調空気として空調対象空間に供給するものである。この室内送風機３は、室内熱交換器２に供給する空調空気の流量を可変することが可能なファン等からなる。
【００１４】
室外機１０２は、圧縮機４、室外熱交換器５及び絞り装置７を少なくとも有している。この室外熱交換器５の近傍には、室外送風機６が付設されている。
【００１５】
圧縮機４は、運転容量を可変することが可能であり、例えばインバータにより制御されるモーター（図示省略）によって駆動される容積式圧縮機を用いる。この圧縮機４は、室外熱交換器５と室内熱交換器２の間に配置されている。
【００１６】
室外熱交換器５は、冷房運転時において、凝縮器（放熱器）として機能して空気に放熱し、暖房運転時において、蒸発器として機能して空気を冷却するものである。この室外熱交換器５は、例えば伝熱管と多数のフィンとにより構成されるクロスフィン式のフィン・アンド・チューブ型熱交換器で構成するとよい。
【００１７】
この室外送風機６は、室外機１０２内に室外空気を吸入し、室外熱交換器５により冷媒との間で熱交換した空気を室外に排出するものである。室外送風機６は、室外熱交換器５に付設され、室外熱交換器５に供給する空気の流量を可変することが可能なファン等からなる。
【００１８】
絞り装置７は、絞り開度が可変であり、冷媒回路内を流れる冷媒の流量の調節等を行うものである。この絞り装置７は、室外熱交換器５と室内熱交換器２の間に配置されている。
【００１９】
そして、図１に示すように、圧縮機４、室外熱交換器５、絞り装置７及び室内熱交換器２は、この順番で環状に冷媒配管１０３で接続され、冷媒回路を構成している。したがって、空気調和機１００は、冷媒回路に冷媒を循環させることで冷房又は暖房運転を行うことができるようになっている。なお、図１では、冷房運転時の冷媒回路を示しているが適宜四方弁（図示省略）で暖房運転に切り替えることができることは言うまでもない。
【００２０】
空気調和機１００では、特に冷房運転時において、室内熱交換器２の表面温度が低下することで、凝縮水１３が室内熱交換器２の表面に生じ、ドレンパン９内にドレン水１２として貯留される。このドレンパン９内に貯留されたドレン水１２は、適宜ドレンポンプ１０によって、排出されるようになっており、ドレン水１２が、ドレンパン９から溢れて空調対象空間（図示省略、例えば室内等）に滴下することを防止している。以下に、室内機１０１の構成（冷媒回路以外の構成）について説明する。
【００２１】
［室内機１０１の構成（冷媒回路以外の構成）］
図１に示すように、室内機１０１は、上述した室内送風機３の他に、ドレンパン９、ドレンポンプ１０、回転数検知装置１６、水位検知装置１１、ドレン配管２２、制御部６０及び表示部７０を有している。
【００２２】
ドレンパン９は、室内熱交換器２で生じる凝縮水１３をドレン水１２として貯留するものである。ドレンパン９内のドレン水１２は、室内熱交換器２から滴下した凝縮水１３の分だけ増加し、ドレンポンプ１０による排水分だけ減少する。ドレンパン９の設置される場所は、図１に示すように、室内熱交換器２の略鉛直下方向等とするとよい。
【００２３】
ドレンポンプ１０は、ドレンパン９内のドレン水１２を室内機１０１の外部に排出するものである。ドレンポンプ１０の設置される場所は、図１に示すように、ドレンパン９の鉛直上方向等とするとよい。このドレンポンプ１０は、ケーシング２０、モーター１７、軸１８、及び羽根車２１を有している。
【００２４】
ケーシング２０は、ドレン水１２を吸い込む吸水口１４及びドレン水１２を排出する吐出口１５が形成されているものである。また、ケーシング２０には、羽根車２１が設けられている。吸水口１４は、ドレンパン９内に貯留されているドレン水１２を、ケーシング２０内に吸い込むものである。吸水口１４は、図１に示すように、例えばドレンパン９の底面と対向する位置に設けられているとよい。吐出口１５は、ケーシング２０内に吸い込まれたドレン水１２を、ケーシング２０外に排水するものである。なお、吐出口１５は、ドレン配管２２に接続されている。
【００２５】
モーター１７は、供給される電力によって軸１８を回転させるものである。モーター１７は、電源（図示省略）に接続されている。また、このモーター１７も室内送風機３と同様に、制御部６０によって制御されている。
【００２６】
軸１８は、モーター１７と羽根車２１を接続するものであり、モーター１７の回転力を羽根車２１に伝達するものである。つまり、軸１８は、羽根車２１と接続しているので、軸１８の軸回転に連動して、羽根車２１が回転するようになっている。
【００２７】
羽根車２１は、自身の回転によって、ドレン水１２を、吸水口１４を介してケーシング２０内に吸い込み、吐出口１５から排出するものである。羽根車２１は、略円板形状をしており、その中心は、軸１８と一致するように固定されているので、軸１８の回転に伴って回転するようになっている。
【００２８】
回転数検知装置１６は、軸１８の回転数を検知するものである。この回転数検知装置１６は、検知した軸１８の回転数を、回転数データＡとして制御部６０に送信するものである。また、回転数検知装置１６は、例えば軸１８に隣接するように設置されているとよい。なお、空気調和機１００においては、軸１８に磁石（図示省略）が取り付けられており、その磁石の回転によって生じる磁場の変化を回転数検知装置１６で検知して、軸１８の回転数を検知する方式であるものとして説明する。なお、軸１８の回転数を検知する方式は、特に、上記方式に限定されるものではない。
【００２９】
水位検知装置１１は、ドレンパン９内に貯留されているドレン水１２の水位を検知するものである。この水位検知装置１１は、検知したドレンパン９内のドレン水１２水位を、水位データＣとして制御部６０に送信するものである。また、水位検知装置１１は、例えばドレンパン９の鉛直上方向に設置されているとよい。なお、回転数検知装置１６によって軸１８の回転数を検知することでドレンパン９内の水位を検知してもよいので、水位検知装置１１が、設けられていなくてもよい。
【００３０】
ドレン配管２２は、吐出口１５から排水されたドレン水１２を室内機１０１の外部に排水するものである。ドレン配管２２は、その一端が、吐出口１５に接続されており、また、ドレン配管２２の他端は、例えば空調対象空間外（例えば室外）に設置されているとよい。
【００３１】
制御部６０は、室内送風機３及びモーター１７の回転と、表示部７０の表示を制御するものである。この制御部６０は、回転数検知装置１６から回転数データＡを受信し、回転数データＡに基づいて、表示部７０を制御するための排水不良表示信号Ａ２を送信する。具体的には、制御部６０は、回転数データＡに基づいて、排水不良の前兆があるかを判断し、排水不良の前兆があると判断した場合に、表示部７０に排水不良表示信号Ａ２を送信するようになっている。なお、排水不良表示信号Ａ２は、ドレンポンプ１０が排水不良の前兆があることをユーザーに報知するために表示部７０に表示するための制御信号である。
【００３２】
また、この制御部６０は、水位検知装置１１から水位データＣを受信し、水位データＣに基づいて、表示部７０を制御するための修理表示信号Ｃ２、室内送風機３及び圧縮機４を制御するため停止信号Ｄを送信する。具体的には、制御部６０は、水位データＣに基づいて、所定の水位より高くなっているか高くなっていないかを判断し、所定の水位より高くなっていると判断した場合には、表示部７０に修理表示信号Ｃ２を送信し、室内送風機３及び圧縮機４には停止信号Ｄを送信する。
【００３３】
なお、修理表示信号Ｃ２は、ドレンパン９内のドレン水１２の水位が所定の値より高くなったことをユーザーに報知するために表示部７０に表示するための制御信号である。また、停止信号Ｄは、ドレンパン９内のドレン水１２の水位が上昇してドレンパン９からドレン水１２が溢れないように、室内送風機３及び圧縮機４の運転を停止する制御信号である。
【００３４】
表示部７０は、制御部６０から排水不良表示信号Ａ２及び修理表示信号Ｃ２を受信することで、ユーザーにドレンポンプ１０の排水不良の前兆について知らせて事前にメンテナンスを促したり、ドレンパン９内のドレン水１２の水位が所定の値より高くなった場合にメンテナンスが必要であることを要求することで知らせたりするものである。なお、表示部７０は、室内機１０１に設けられているものとして説明するが、リモコン（図示省略）等に設けられていてもよい。また、音声等で、ユーザーにメンテナンスを促したり、メンテナンスが必要であることを要求することを知らせたりしてもよく、表示部７０が設けられていなくてもよい。
【００３５】
［動作説明］
次に、空気調和機１００の冷房運転におけるドレン水１２の処理について説明する。
冷房運転を開始すると、室内熱交換器２の表面温度が低下する。そして、室内送風機３によって室内機１０１内に吸い込まれた空気は、室内熱交換器２に送り込まれて冷却される。この空気が露点温度以下になると、当該空気中の水分から凝縮水１３が室内熱交換器２の表面に生じ、ドレンパン９内にドレン水１２として貯留される。このドレンパン９内に貯留されたドレン水１２は、適宜ドレンポンプ１０によって排水される。その際に、軸１８の回転数は、排水経路に詰まりが生じたり、ドレン水１２の粘度が高くなったり、ドレンポンプ１０の排水能力が低下したりすると、低下する。
【００３６】
回転数検知装置１６は、軸１８の回転数を検知しており、その回転数に基づいた回転数データＡを制御部６０に送信する。この回転数データＡが制御部６０によって排水不良の兆候があると判断されると、制御部６０は、表示部７０に排水不良表示信号Ａ２を送信する。この排水不良表示信号Ａ２を受信した表示部７０は、ユーザーにドレンポンプ１０が排水不良の前兆があること報知する表示をする。ドレンポンプ１０が排水不良になると上記のように、その前兆を予測して事前にメンテナンスをするように促すようになっている。
【００３７】
また、仮に、ドレンパン９内のドレン水１２の水位が所定の値まで上昇してしまった場合には、制御部６０が、室内送風機３及び圧縮機４に停止信号Ｄを送信して室内送風機３及び圧縮機４の運転を停止し、また、表示部７０に修理表示信号Ｃ２を送信して表示部７０にメンテナンスが必要であることを要求することを報知するようになっている。
【００３８】
［排水不良について］
排水不良とは、排水経路（ケーシング２０及びドレン配管２２）に詰まりが生じたり（排水状態Ｓ１）、ドレン水１２の粘度が高くなったり（排水状態Ｓ２）、ドレンポンプ１０の排水能力が低下したり（排水状態Ｓ３）ということが原因で、ドレンポンプ１０の排水量が低下してしまうことである。空気調和機１００において、制御部６０は、軸１８の回転数と予め設定されている回転数の基準値Ｖとを比較し、その比較結果に基づいて、ドレンポンプ１０に排水不良（排水状態Ｓ１〜排水状態Ｓ３のいずれか）の前兆の有無を判断する。排水不良の前兆があるものと判断された場合には、制御部６０が、排水不良の前兆があるという内容の表示をするように表示部７０を制御して、ユーザーに報知するようになっている。
【００３９】
ここで、仮に、モーター１７を一定電圧で運転している場合において、吸水口１４とドレンパン９の底面までの距離やドレン配管２２の長さ（楊程）等で、排水不良の前兆があると判断するべき回転数が変わってしまう場合がある。このような場合には、空気調和機１００の据付当初の正常運転をしている時の回転数から、回転数の基準値Ｖを算出してもよい。
【００４０】
また、ドレンポンプ１０を構成している部品を交換したり、ドレン配管２２を交換したりした場合においても、排水不良の前兆があると判断する回転数が変わってしまう場合がある。このような場合には、制御部６０を、設定されている回転数の基準値Ｖを決定、変更（更新）することができるようにすればよい。
【００４１】
排水不良の前兆を判断すると、制御部６０が、電源からモーター１７に供給される電圧を大きくなるように制御して、モーター１７の出力を向上させるようにしてもよい。このように、モーター１７の出力を向上されることにより、実質的にドレンパン９内のドレン水１２を排水することができなくなる排水状態Ｓ４（排水能力が許容値以下に低下）に至るまでの時間的な猶予を長くすることができる。
【００４２】
さらに、制御部６０が、ドレンポンプの排水不良（排水状態Ｓ１〜排水状態Ｓ３）の前兆だけでなく、排水が出来なくなってしまう排水状態Ｓ４を判断することができるように、回転数の基準値Ｖが２つ設けられてもよい。このように回転数の基準値Ｖを２つ設けることで、制御部６０は、軸１８の回転数が、第２の回転数の基準値Ｖ２より低くなった場合に、排水状態Ｓ４であると判断する。その後、制御部６０は、排水状態Ｓ４であることを表示するように表示部７０を制御して、ユーザーに報知するようになっている。また、制御部６０は、ドレンポンプ１０が、排水状態Ｓ４になっていると判断した場合には、室内送風機３及び圧縮機４の運転を停止（空調運転の停止）するように制御するものとする。よって、空気調和機１００は、水位検知装置１１で検知するドレンパン９内のドレン水１２の水位ではなく、回転数検知装置１６の回転数に基づいて運転停止を判断するので、水位検知装置１１が必要なくなることは言うまでもない。
【００４３】
なお、制御部６０は、軸１８の回転数と予め複数設定されている回転数の基準値を比較して、その比較結果に基づいて排水状態Ｓ１〜Ｓ４の内のいずれか１つだけの前兆の有無を判断するようになっていてもよい。また、逆に、制御部６０は、軸１８の回転数と予め設定されている一つの回転数の基準値を比較し、その比較結果に基づいて複数の排水状態の前兆の有無を判断するようになっていてもよい。（設けられる回転数の基準値の数は、特に、限定されるものではない。）
【００４４】
［空気調和機１００の有する効果］
空気調和機１００は、ドレンポンプ１０の回転数を検知することで、排水不良の前兆を予測するので、ユーザーが空気調和機１００を管理しやすくなる。また、空気調和機１００は、ドレンポンプ１０の排水不良の前兆を予測するので、ドレンポンプ１０の点検回数を低減することができることは言うまでもない。
【００４５】
実施の形態２．
図２は、実施の形態２に係る空気調和機２００の概要構成例図である。図３は、図２に示す空気調和機２００のドレンポンプ１０のモーター１７の回路例である。なお、本実施の形態２では、実施の形態１と同一部分には同一符号とし、実施の形態１との相違点を中心に説明するものとする。
【００４６】
図３に示すように、制御部２０１は、モーター１７の回転数を制御するためのインバーター回路２０２、モーターに供給されている電流値を検知する電流検知部２０５と接続されている。この電流検知部２０５は、配線Ｋの位置に設けて磁束の変化から検知するようなものでもよい。図２に示すように、制御部２０１は、電流検知部２０５から電流値Ｆを受信し、電流値Ｆに基づいて、表示部７０を制御するための排水不良表示信号Ａ２を送信する。
【００４７】
制御部２０１は、排水不良が進行するにつれて、回転数の低下を抑制するためにインバーター回路２０２のスイッチング周波数を高くして、モーター１７の回転の低下を抑制するようにフィードバック制御をかける。つまり、ドレンポンプ１０は、排水不良が進行するにつれて、供給される電流が大きくなるようになっている。それに伴い、モーター１７に供給される電流値Ｆが適宜変化するので、その変化を検知することで、排水状態Ｓ１〜Ｓ４の前兆を判断する。つまり、空気調和機２００において、制御部２０１は、モーター１７に供給されている電流値Ｆと、予め設定されている電流値の基準値Ｉとを比較し、その比較結果に基づいて、ドレンポンプ１０に排水不良（排水状態Ｓ１〜排水状態Ｓ３のいずれか）の前兆の有無を判断する。排水不良の前兆があるものと判断された場合には、制御部２０１が、排水不良の前兆があるという内容の表示をするように表示部７０を制御して、ユーザーに報知するようになっている。なお、インバーター回路２０２は、制御部２０２内に設けられているものでものとして説明するが、特に、設けられる場所は限定されるものではない。
【００４８】
ここで、モーター１７を一定電圧で運転している場合において、吸水口１４とドレンパン９の底面までの距離やドレン配管２２の長さ（楊程）等で、排水不良の前兆があると判断する電流値が変わってしまう場合がある。このような場合には、空気調和機２００の据付当初の正常運転をしている時の電流値から、電流値の基準値Ｉを算出してもよい。
【００４９】
また、ドレンポンプ１０を構成している部品を交換したり、ドレン配管２２を交換したりした場合においても、排水不良の前兆があると判断する電流値が変わってしまう場合がある。このような場合には、制御部２０１を、設定されている電流値の基準値Ｉを決定、変更（更新）することができるようにすればよい。
【００５０】
排水不良の前兆を判断すると、制御部２０１が、電源からモーター１７に供給する電圧を大きくなるように制御して、モーター１７の出力を向上させるようにしてもよい。このように、モーター１７の出力を向上させることにより、実質的にドレンパン９内のドレン水１２を排水することができなくなる排水状態Ｓ４（排水能力が許容値以下に低下）に至るまでの時間的な猶予を長くすることができる。
【００５１】
さらに、制御部２０１が、ドレンポンプの排水不良（排水状態Ｓ１〜排水状態Ｓ３）の前兆だけでなく、排水が出来なくなってしまう排水状態Ｓ４を判断することができるように、電流値の基準値Ｖが２つ設けられてもよい。このように基準値Ｖを２つ設けることで、制御部２０１は、電流値Ｆが、第２の電流値の基準値Ｉ２より大きくなった場合に、排水状態Ｓ４であると判断する。その後、制御部２０１は、排水状態Ｓ４であることを表示するように表示部７０を制御して、ユーザーに報知するようになっている。また、制御部２０１は、ドレンポンプ１０が、排水状態Ｓ４になっていると判断した場合には、室内送風機３及び圧縮機４の運転を停止（空調運転の停止）するように制御するものとする。よって、空気調和機２００は、水位検知装置１１で検知するドレンパン９内のドレン水１２の水位ではなく、ドレンポンプ１０に供給される電流値Ｆに基づいて運転停止を判断するので、水位検知装置１１が必要なくなることは言うまでもない。
【００５２】
なお、制御部２０１は、ドレンポンプ１０に供給される電流の電流値Ｆと予め複数設定されている電流値の基準値Ｉを比較し、その比較結果に基づいて排水状態Ｓ１〜Ｓ４の内のいずれか１つだけの前兆の有無を判断するようになっていてもよい。また、逆に、制御部２０１は、ドレンポンプ１０に供給される電流の電流値Ｆと一つの電流値の基準値Ｉを比較し、その比較結果に基づいて複数の排水状態の前兆の有無を判断するようになっていてもよい。（設けられる電流の基準値Ｉの数は、特に、限定されるものではない。）
【００５３】
［空気調和機２００の有する効果］
空気調和機２００は、ドレンポンプ１０に供給される電流の値を検知することで、排水不良の前兆を予測するので、ユーザーが空気調和機２００を管理しやすくなる。また、空気調和機２００は、ドレンポンプ１０の排水不良の前兆を予測するので、ドレンポンプ１０の点検回数を低減することができることは言うまでもない。
【００５４】
なお、実施の形態１、２に記載されている内容を適宜組み合わせてもよいことは言うまでもない。
【符号の説明】
【００５５】
２  室内熱交換器、３  室内送風機、４  圧縮機、５  室外熱交換器、６  室外送風機、７  絞り装置、９  ドレンパン、１０  ドレンポンプ、１１  水位検知装置、１２  ドレン水、１３  凝縮水、１４  吸水口、１５  吐出口、１６  回転数検知装置、１７  モーター、１８  軸、２０  ケーシング、２１  羽根車、２２  ドレン配管、６０  制御部、７０  表示部、１００  空気調和機、１０１  室内機、１０２  室外機、１０３  冷媒配管、２００  空気調和機、２０１  制御部、２０２  インバーター回路、２０５  電流検知部、Ａ  回転数データ、Ａ２  排水不良表示信号、Ｃ  水位データ、Ｃ２  修理表示信号、Ｄ  停止信号、Ｓ１  排水状態、Ｓ２  排水状態、Ｓ３  排水状態、Ｓ４  排水状態、Ｖ  回転数の基準値、Ｖ２  第２の回転数の基準値、Ｉ  電流値の基準値、Ｉ２  第２の電流値の基準値、Ｆ  電流値、Ｋ  配線。
【図１】
0005542901.tif 000002
【図２】
0005542901.tif 000003
【図３】
0005542901.tif 000004